(57)【特許請求の範囲】
【請求項１】
一対の光コネクタの各フェルールハウジングを保持して一体となし、当該各フェルールハウジングから後方に延びた一対の光ファイバケーブルの芯線それぞれを収容する保持体と、
該保持体から後方に延びた一対の光ファイバケーブルそれぞれを同時に保護するブーツと、
前記保持体に対し脱着自在に設けられたレバー連結体と、を備え、
前記レバー連結体は、先端部に係合突部を有する一対のラッチレバーが前記各フェルールハウジングに対応すべく、前記レバー連結体先端に取付けられた操作レバーの先端側に連設して弾発性を付与して形成され、且つ前記一対の光コネクタの各フェルールハウジングの上下２面には、前記一対のラッチレバーの先端部の係合突部を脱着自在に係合するための係合凹部が形成されていることを特徴とする２芯型光コネクタプラグ。
【請求項２】
前記レバー連結体は、前記操作レバーの後端部側が略コ字枠状の取付基部に固定されてなり、該取付基部の左右内壁面側と前記保持体の左右外壁面側に互いに脱着自在となるよう係合機構がそれぞれ配設されていることを特徴とする請求項１記載の２芯型光コネクタプラグ。
【請求項３】
前記係合機構は、前記取付基部の左右内壁面側に設けられたガイド凹部と、前記保持体の左右外壁面側に設けられたガイド突部とから形成されていることを特徴とする請求項２記載の２芯型光コネクタプラグ。
【請求項４】
前記係合機構は、前記取付基部の左右内壁面側に設けられたガイド突部と、前記保持体の左右外壁面側に設けられた係合凹部とから形成されていることを特徴とする請求項２記載の２芯型光コネクタプラグ。
【請求項５】
前記レバー連結体は、前記操作レバーと前記ラッチレバーとで側面視略への字型を呈して連設されていることを特徴とする請求項１記載の２芯型光コネクタプラグ。
【請求項６】
前記レバー連結体は、前記操作レバーと前記ラッチレバーとで側面視略平坦状を呈して連設されていることを特徴とする請求項１記載の２芯型光コネクタプラグ。
【請求項７】
前記ラッチレバー先端に設けられた係合突部の後端にはテーパ面が形成されていることを特徴とする請求項１記載の２芯型光コネクタプラグ。
【発明の詳細な説明】
【技術分野】
【０００１】
本発明は、一対のＬＣ型光コネクタを有する双方向通信用の主としてユニブーツタイプの２芯型光コネクタプラグに関する。
【背景技術】
【０００２】
従来、インターネット等の普及に伴い、光コネクタの一種として、入力用の光コネクタと出力用の光コネクタとを有する双方向通信用の２芯型光コネクタユニットの需要が急増している。この２芯型光コネクタプラグは、その極性反転のために一対の光コネクタの場所を入れ替える必要性が生じる。
【０００３】
そこで、近年においては、一対の光コネクタの位置を入れ替え可能にするために、上記２芯型光コネクタプラグとしては、図１５．１（ａ）乃至（ｄ）及び図１５．２（ｅ）乃至（ｇ）に示すように、一対の光ファイバケーブル（図示省略）の先端に取り付けられた一対の光コネクタＡ、Ｂの各フェルールハウジング１００ａ、１００ｂを保持するコネクタハウジング１０１と、該コネクタハウジング１０１から後方に延びた一対の光ファイバケーブルそれぞれを同時に保護する単一のブーツ（ユニブーツ構造）１０２とを備える。
【０００４】
上記コネクタハウジング１０１は、上下半割構造をなす略角筒形状となっており、各フェルールハウジング１００ａ、１００ｂ後部に形成された括部１０３を、下側のコネクタハウジング半割体１０１ａの前側に形成されている凹部１０４に係架し、上側のコネクタハウジング半割体１０１ｂによって挟み込むことで保持される。また、フェルールハウジング１００ａ、１００ｂの各上面から基端側に向けて上下方向の弾性を有するラッチレバー１０５ａ、１０５ｂが斜め上方に一体に延設されるとともに、当該ラッチレバー１０５ａ、１０５ｂの各中間部両側には係止突部１０６ａ、１０６ｂが設けられ、光アダプタに設けられた係止溝（図示省略）と係止突部１０６ａ、１０６ｂとが係合することにより、光コネクタＡ、Ｂの光アダプタからの抜け止めが行なわれる。
【０００５】
前記上側のコネクタハウジング半割体１０１ｂの上面には、上下方向の弾性を有する操作レバー１０７が先端側に向けて斜め上方に一体に延設されている。このとき、上側のコネクタハウジング半割体１０１ｂの左右下縁部において互いに内方に向けて形成されている係止爪１０８が、下側のコネクタハウジング半割体１０１ａの左右側壁に縦長凹状となって形成されているガイド凹部１０９に沿って挿入される。
【０００６】
そして、上側のコネクタハウジング半割体１０１ｂを下側のコネクタハウジング半割体１０１ａの左右側壁に沿って若干後方へスライドさせることで、下側のコネクタハウジング半割体１０１ａの後部上面に設けられた弾性係止片１１０が上側のコネクタハウジング半割体１０１ｂの後縁部を押さえると同時に上側のコネクタハウジング半割体１０１ｂの前記係止爪１０８が下側のコネクタハウジング半割体１０１ａの前記ガイド凹部１０９位置より前方の左右側壁下部に係合される。このとき、前記操作レバー１０７は上記各フェルールハウジング１００ａ、１００ｂ上面のラッチレバー１０５ａ、１０５ｂそれぞれに上方から被さるようにして係合される。
【０００７】
前記コネクタハウジング１０１に対し、一対の光コネクタの位置を入れ替える際には、図１５．１（ａ）及び図１５．１（ｂ）に示すように、先ず、下側のコネクタハウジング半割体後部１０１ａの弾性係止片１１０を手で押下げながら上側のコネクタハウジング半割体１０１ｂを後方へスライドさせる。このとき、上側のコネクタハウジング半割体１０１ｂの前記係止爪１０８が下側のコネクタハウジング半割体１０１ａ前方の左右側壁下部から外れて前記ガイド凹部１０９に位置する。
【０００８】
そして、図１５．１（ｃ）に示すように、上側のコネクタハウジング半割体１０１ｂの係止爪１０８をガイド凹部１０９に沿って上方側にスライドさせることで当該上側のコネクタハウジング半割体１０１ｂは下側のコネクタハウジング半割体１０１ａから離脱される。このとき、一対の光ファイバケーブルそれぞれの芯線（図示省略）が外部に露出する。その後、図１５．１（ｄ）に示すように、一対の光コネクタＡ、Ｂの各フェルールハウジング１００ａ、１００ｂを一対の光ファイバケーブルそれぞれの芯線と共に下側のコネクタハウジング半割体１０１ａから上方に引き出す。
【０００９】
図１５．２（ｅ）に示すように、一対の光コネクタＡ、Ｂの位置を左右交替させて、各フェルールハウジング１００ａ、１００ｂ後部に形成された括部１０３を、下側のコネクタハウジング半割体１０１ａの前側に形成されている各凹部１０４に嵌合する。そして、図１５．２（ｆ）に示すように、下側のコネクタハウジング半割体１０１ａの上に上側のコネクタハウジング半割体１０１ｂを被せる。このとき、下側のコネクタハウジング半割体１０１ａ後部の弾性係止片１１０は上側のコネクタハウジング半割体１０１ｂの下面によって押下されつつ、上側のコネクタハウジング半割体１０１ｂの係止爪１０８が、下側のコネクタハウジング半割体１０１ａのガイド凹部１０９に沿って挿入される。
【００１０】
そして、図１５．２（ｇ）に示すように、上側のコネクタハウジング半割体１０１ｂを下側のコネクタハウジング半割体１０１ａの左右側壁に沿って若干前方へスライドさせることで、下側のコネクタハウジング半割体１０１ａの後部上面の弾性係止片１１０が弾性復帰して上側のコネクタハウジング半割体１０１ｂの後縁部を押さえると同時に上側のコネクタハウジング半割体１０１ｂの前記係止爪１０８が下側のコネクタハウジング半割体１０１ａの前記ガイド凹部１０９位置より前方に移動して左右側壁下部に係合される。このとき、各フェルールハウジング１００ａ、１００ｂ後部の括部１０３は、上側のコネクタハウジング半割体１０１ｂによって保持されると同時に、前記操作レバー１０７は上記各フェルールハウジング１００ａ、１００ｂ上面のラッチレバー１０５ａ、１０５ｂそれぞれに係合される。
【００１１】
また、前記一対の光コネクタの位置の入れ替え可能な他の構成による２芯型光コネクタプラグとしては、例えば特許文献１に示すように、「極性反転に適するデュプレックス光ファイバ組立体およびその方法」が公知である。すなわち、この特許文献１によると、係止レバーが斜め上方に一体に延設されてなる第１、第２光ファイバコネクタ組立体、及び光ファイバコネクタ組立体が極性反転のために、それぞれの縦軸に沿つて独立して回転させられるように、第１、第２光ファイバコネクタ組立体を受けるための上下半割構造のハウジングから構成されている。
【００１２】
さらに、前記係止レバーに係合される上下方向の弾性を有する操作レバーが先端側に向けて斜め上方に一体に延設されてなる角筒状のレバー体を設け、ハウジングに対し光ファイバコネクタ組立体を上下反転させると同時に、前記した係止レバーと操作レバーとが互いに対向する配置となるよう当該レバー体もハウジングに対して上下反転させて取り付けられた後、係止レバーと操作レバーとがともに上方に向くようにハウジング全体を上下反転させることで、各光ファイバコネクタ組立体のハウジングに対する左右入れ替えが可能となるよう構成されている。
【先行技術文献】
【特許文献】
【００１３】
【特許文献１】米国特許第８１５２３８５Ｂ２
【発明の概要】
【発明が解決しようとする課題】
【００１４】
しかしながら、上記した従来におけるコネクタハウジング（前者）は、上下半割構造をなす角筒形状となっていることから、コネクタハウジングに対して一対の光コネクタの位置を入れ替える際には、これら上下半割構造のコネクタハウジングを互いに分離しなければならず、このため一対の光コネクタの各フェルールハウジングから後方に延びた一対の光ファイバケーブルそれぞれの芯線が外部に露出することとなることから、最終ユーザ（光コネクタを交換する人）はこれら芯線を不用意に触れてしまい当該芯線に損傷を与えてしまう虞があった。
【００１５】
また、特許文献１の場合では、極性反転のために、ハウジングに対し各光ファイバコネクタ組立体を上下逆向きに回転（上下反転）させると同時に、係止レバーと操作レバーとが互いに対向する配置となるようレバー体もハウジングに対して上下反転させて取り付けなければならず、作業性が劣り、しかも各光ファイバコネクタ組立体の反転に際し、上下半割構造のハウジングが互いに分離して、前者同様一対の光ファイバケーブルそれぞれの芯線が外部に露出してしまう虞もあった。
【００１６】
そこで、本発明は、叙上のような従来存した諸事情に鑑み案出されたもので、一対の光コネクタを有する双方向通信用の２芯型光コネクタプラグにおいて、当該一対の光コネクタの位置を簡単に入れ替え可能とする２芯型光コネクタプラグを提供することを目的とする。
【課題を解決するための手段】
【００１７】
上述した課題を解決するために、本発明にあっては、
一対の光コネクタの各フェルールハウジングを保持して一体となし、当該各フェルールハウジングから後方に延びた一対の光ファイバケーブルの芯線それぞれを収容する保持体と、
該保持体から後方に延びた一対の光ファイバケーブルそれぞれを同時に保護するブーツと、
前記保持体に対し脱着自在に設けられたレバー連結体と、を備え、
前記レバー連結体は、先端部に係合突部を有する一対のラッチレバーが前記各フェルールハウジングに対応すべく、前記レバー連結体先端に取付けられた操作レバーの先端側に連設して弾発性を付与して形成され、且つ前記一対の光コネクタの各フェルールハウジングの上下２面には、前記一対のラッチレバーの先端部の係合突部を脱着自在に係合するための係合凹部が形成されていることを特徴とする。
【００１８】
前記レバー連結体は、前記操作レバーの後端部側が略コ字枠状の取付基部に固定されてなり、該取付基部の左右内壁面側と前記保持体の左右外壁面側に互いに脱着自在となるよう係合機構がそれぞれ配設されていることを特徴とする。
【００１９】
前記係合機構は、前記取付基部の左右内壁面側に設けられたガイド凹部と、前記保持体の左右外壁面側に設けられたガイド突部とから形成されていることを特徴とする。
【００２０】
前記係合機構は、前記取付基部の左右内壁面側に設けられたガイド突部と、前記保持体の左右外壁面側に設けられた係合凹部とから形成されていることを特徴とする。
【００２１】
前記レバー連結体は、前記操作レバーと前記ラッチレバーとで側面視略への字型を呈して連設されていることを特徴とする。
【００２２】
前記レバー連結体は、前記操作レバーと前記ラッチレバーとで側面視略平坦状を呈して連設されていることを特徴とする。
【００２３】
前記ラッチレバー先端に設けられた係合突部の後端にはテーパ面が形成されていることを特徴とする。
【発明の効果】
【００２４】
本発明によれば、例えばＬＣ型等の一対の光コネクタを有する双方向通信用の２芯型光コネクタプラグにおいて、各光コネクタを保持体に装着したまま当該保持体自体を上下反転させるだけで、ラッチレバーおよび操作レバーを一体化してなるレバー連結体に対して左右に配した一対の光コネクタの位置を簡単に入れ替え可能とする。
【００２５】
すなわち、本発明では、一対の光コネクタの各フェルールハウジングを保持して一体となし、当該各フェルールハウジングから後方に延びた一対の光ファイバケーブルの芯線それぞれを収容する保持体と、
該保持体から後方に延びた一対の光ファイバケーブルそれぞれを同時に保護するブーツと、
前記保持体に対し脱着自在に設けられたレバー連結体と、を備え、
前記レバー連結体は、先端部に係合突部を有する一対のラッチレバーが前記各フェルールハウジングに対応すべく、前記レバー連結体先端に取付けられた操作レバーの先端側に連設して弾発性を付与して形成され且つ前記一対の光コネクタの各フェルールハウジングの上下２面には、前記一対のラッチレバーの先端部の係合突部を脱着自在に係合するための係合凹部が形成されているので、
前記一対の光コネクタの位置の入れ替えに際し、前記保持体から前記レバー連結体を取り外し、当該保持体を一対の光コネクタごと上下反転させ、反転後の保持体に対し前記レバー連結体を再度組み付けることができ、これによって一対の光コネクタの位置を簡単に入れ替え可能とする２芯型光コネクタプラグを提供することができると共に、前記係合凹部によるラッチレバーの各先端部の係止によって、ラッチレバーの係止部が光アダプタに設けられた係止溝と係合した際のレバー連結体自身の弾発力による保持性能をいっそう高めることができる。
【００２６】
前記レバー連結体は、前記操作レバーの後端部側が略コ字枠状の取付基部に固定されてなり、該取付基部の左右内壁面側と前記保持体の左右外壁面側に互いに脱着自在となるよう係合機構がそれぞれ配設されているので、ドライバー等の工具を使わずに単に指先の操作のみによって前記保持体に対するレバー連結体の取付けまたは取外しが容易に行える。
【００２７】
前記係合機構は、前記取付基部の左右内壁面側に設けられたガイド凹部と、前記保持体の左右外壁面側に設けられたガイド突部とから形成されているので、前記取付基部の指先のみによる前後方向へのスライド操作によって前記保持体に対するレバー連結体の取付けまたは取外しが容易に行える。
【００２８】
前記係合機構は、前記取付基部の左右内壁面側に設けられたガイド突部と、前記保持体の左右外壁面側に設けられた係合凹部とから形成されているので、前記取付基部の指先のみによる上下方向へのスライド操作によって前記保持体に対するレバー連結体の取付けあるいは取外しが容易に行える。
【００２９】
前記レバー連結体は、前記操作レバーと前記ラッチレバーとで側面視略への字型を呈して連設されているので、前記操作レバーを上方から手で押圧させることで各ラッチレバーは操作レバーに対して略平坦状に伸長し、各ラッチレバーの各フェルールハウジング上面に対する係脱作業が容易に行える。
【００３０】
前記レバー連結体は、前記操作レバーと前記ラッチレバーとで側面視略平坦状を呈して連設されているので、前記レバー連結体は前記保持体に対して緩みなく固定され外れ難く、小密度実装に適している。
【００３１】
前記ラッチレバー先端に設けられた係合突部の後端にはテーパ面が形成されているので、前記レバー連結体の前記ラッチレバーをフェルールハウジングから容易に取り外すことができる。
【図面の簡単な説明】
【００３２】
【図１】本発明を実施するための一形態における２芯型光コネクタプラグを示す側面図である。
【図２】本発明を実施するための一形態における２芯型光コネクタプラグを示す斜視図である。
【図３】同じく２芯型光コネクタプラグを示す分解斜視図である。
【図４】一対の光コネクタの各フェルールハウジングの保持体からレバー連結体を取り外し、当該保持体を上下反転する操作状態を示す組立て前の斜視図である。
【図５】保持体の上下反転後にレバー連結体を当該保持体に取り付ける操作状態を示す組立て前の斜視図である。
【図６】上下反転後の保持体にレバー連結体を取り付けた状態を示す斜視図である。
【図７】レバー連結体の一形態を示すもので、（ａ）は平面図、（ｂ）は側面図、（ｃ）は底面図、（ｄ）は正面図、（ｅ）は背面図である。
【図８】ラッチレバー先端の係合突部がフェルールハウジングの係合凹部に係合している状態を示す一部拡大断面図である。
【図９】レバー連結体の取付基部内側に形成されたガイド凹部と保持体の外側に形成されたガイド突部とが係合している状態を示す拡大縦断面図である。
【図１０】操作レバーとラッチレバーとが並行状態となって連設してなるレバー連結体を備えた本発明の他例を示す側面図である。
【図１１】同じく操作レバーとラッチレバーとが並行状態となって連設してなるレバー連結体を備えた本発明の他例を示す斜視図である。
【図１２】操作レバーとラッチレバーとが並行状態となって連設してなるレバー連結体を保持体から取り外し、当該保持体を上下反転する操作状態を示す組立て前の斜視図である。
【図１３】レバー連結体の他の実施形態を示すもので、（ａ）は平面図、（ｂ）は側面図、（ｃ）は底面図、（ｄ）は正面図、（ｅ）は背面図である。
【図１４】レバー連結体の取付基部内側に形成されたガイド突起と保持体外側に形成されたガイド凹部とが係合している状態を示す拡大縦断面図である。
【図１５．１】図１５．１中（ａ）乃至（ｄ）は、従来例における一対の光コネクタの位置の入れ替え操作を順次説明するための斜視図である。
【図１５．２】図１５．２中（ｅ）乃至（ｇ）は、従来例における一対の光コネクタの位置の入れ替え操作を順次説明するための斜視図である。
【発明を実施するための形態】
【００３３】
以下、図面を参照して本発明に係る２芯型光コネクタプラグの実施の一形態を詳細に説明する。
【００３４】
本発明に係る２芯型光コネクタプラグは、図１、図２および図３に示すように、一対の光コネクタＡ、Ｂの各フェルールハウジング１０Ａ、１０Ｂを保持し且つ当該各フェルールハウジング１０Ａ、１０Ｂから後方に延びた一対の光ファイバケーブルの芯線（図示省略）それぞれを収容する保持体１と、該保持体１から後方に延びた一対の光ファイバケーブル（図示省略）それぞれを同時に保護するブーツ２と、前記保持体１に対し前後方向もしくは上下両方向から脱着自在となるよう取付けられるレバー連結体２０とを備えている。
【００３５】
前記光コネクタＡ、Ｂは、図３に示すように、何れも同一構造によるＬＣ型光コネクタであり、それぞれ光ファイバ（図示省略）の先端に取り付けられるよう当該光ファイバ（芯線）が挿通される挿通孔を有するフェルールＦと、該各フェルールＦのフランジ部Ｆ１を介して後方に延設されたチューブＦＨを内周に保持して収容するフェルールハウジング１０Ａ、１０Ｂと、該フェルールハウジング１０Ａ、１０Ｂに内蔵され前記フランジ部Ｆ１に一端が係止されるコイルスプリングＳと、該フェルールハウジング１０Ａ、１０Ｂの後部開放側を閉塞するエクステンダーキャップＥとから概ね構成されている。尚、このエクステンダーキャップＥはその中央孔を通って光ファイバケーブルが後方に引き出されるとともに、前記コイルスプリングＳの他端を係止する機能を有している。
【００３６】
また、フランジ部Ｆ１とエクステンダーキャップＥとの光軸方向間に前記コイルスプリングＳが圧縮状態で装着されていることで、このコイルスプリングＳの弾性力により、フェルールＦは先端側に付勢される。さらに、フェルールハウジング１０Ａ、１０Ｂ自体は、エクステンダーキャップＥの後部外周面に形成された括部３を介して、前記保持体１の前側（後述する上下凹部１３ａ、１３ａ間）に保持される。
【００３７】
前記保持体１は、図３に示すように、下側半割保持体１ａと上側半割保持体１ｂとの上下二割構造による全体略角筒形状をなしており、下側半割保持体１ａの左右側壁に形成されている凹所内側の被係止部８ｂに、上側半割保持体１ｂの左右側壁に形成されている係止片８ａの下端から内方に向けた係止爪（図示省略）が係合されることで、各半割保持体１ａ、１ｂそれぞれが一体化される。
【００３８】
そして、前記半割保持体１ａ、１ｂの前側には、上記光コネクタＡ、Ｂのフェルールハウジング１０Ａ、１０Ｂそれぞれの後部に形成されている括部３、３を各係合させるための凹部１３ａ、１３ａが各形成されるとともに、前記保持体１の後端部には筒状のファイバポスト２１先端の大径のフランジ部２１ａが各半割保持体１ａ、１ｂ間に挟持された状態となって固定され、このファイバポスト２１の後側の縮径部２１ｂには、先端にカシメリング２２ａを備えた熱収縮チューブ２２の当該カシメリング２２ａ側が外嵌合されて外周からカシメ固定される。
【００３９】
さらに、前記各半割保持体１ａ、１ｂ間には、図３に示すように、フェルールハウジング１０Ａ、１０Ｂそれぞれの後部から延びた各芯線（図示省略）がそれぞれ収容され、前記ファイバポスト２１には各芯線を内挿した一対の光ファイバケーブル端が１つに纏めて挿通され、該ファイバポスト２１を通って後方に延びている一対の光ファイバケーブルは、前記熱収縮チューブ２２の加熱収縮によって保持固定される。また、前記カシメリング２２ａには、前記熱収縮チューブ２２を覆うようにブーツ２の先端開口部側が外挿固定される。
【００４０】
前記レバー連結体２０は、図１、図２、図３および図７に示すように、幅広な１枚の扁平状の操作レバー７の後端側が略コ字枠状の取付基部９の上面に固定され、該操作レバー７の先端側には、前記各フェルールハウジング１０Ａ、１０Ｂに対応すべく一対のラッチレバー５ａ、５ａを二又状に分岐連設してそれぞれ弾発性を付与してある。つまり、前記レバー連結体２０は、弾力性を有する部材から形成されるとともに、操作レバー７とラッチレバー５ａ、５ａとの連結部分は側面視で略への字形を呈しており、これによって、前記操作レバー７を上方から手で押圧させることで各ラッチレバー５ａ、５ａは後述する係止部６ａ、６ａと共に弾性力に抗して押下げられ、操作レバー７と各ラッチレバー５ａ、５ａとの連結部分は略平坦状まで伸長できるようになっている。
【００４１】
すなわち、図８に詳記するように、前記ラッチレバー５ａ、５ａの略中間部の左右両端には、光アダプタに設けられた係止溝（図示省略）と脱着自在に係合する係止部６ａ、６ａが突出して設けられるとともに、前記ラッチレバー５ａ、５ａの各先端部下面には一対の係合突部１１ａ、１１ａが形成されている。
【００４２】
一方、前記一対の光コネクタＡ、Ｂの各フェルールハウジング１０Ａ、１０Ｂそれぞれの上下２面には、前記ラッチレバー５ａ、５ａの係合突部１１ａおよび１１ａそれぞれを脱着自在に係合するための一対の係合凹部１２ａ、１２ａが形成されている。
【００４３】
また、前記係合突部１１ａ、１１ａの下面には正面視略円弧状の凹面に、前記係合凹部１２ａ、１２ａの内底面は凸面に互いに対応するように形成されており、これによって前記係合突部１１ａ、１１ａと前記係合凹部１２ａ、１２ａとは密着状態を維持して横方向にズレ無く所定位置で係合連結されるものとなっている。
【００４４】
さらに、図８に示すように、前記各ラッチレバー５ａ、５ａの係合突部１１ａ、１１ａと、前記各フェルールハウジング１０Ａ、１０Ｂの係合凹部１２ａ、１２ａの各前部側は垂直面１１ｂ、１１ｂおよび１２ｂ、１２ｂに各形成されるとともに、前記係合突部１１ａ、１１ａの後部側はテーパ面１１ｃ、１１ｃに、前記係合凹部１２ａ、１２ａの後部側は垂直面１２ｃ、１２ｃにそれぞれ形成されている。これにより、前記各フェルールハウジング１０Ａ、１０Ｂの係合凹部１２ａ、１２ａと、これに弾圧力をもって係合されているラッチレバー５ａ、５ａ先端の係合突部１１ａ、１１ａとは、前端側においては垂直面１２ｂ、１２ｂと１１ｂ、１１ｂ同志が突き当るため、前記フェルールハウジング１０Ａ、１０Ｂの係合凹部１２ａ、１２ａからの前記ラッチレバー５ａ、５ａの離脱の虞れが少なく、一方、後端側においては前記ラッチレバー５ａ、５ａの係合突部１１ａ、１１ａの後部側に設けられたテーパ面１１ｃ、１１ｃによってフェルールハウジング１０Ａ、１０Ｂの係合凹部１２ａ、１２ａからのラッチレバー５ａ、５ａの離脱がスムーズに行われるものとなっている。
【００４５】
前記取付基部９の左右内壁面９ｄ、９ｄ側には前後方向に沿って上下に２個ガイド凹部９ａ、９ａが形成されるとともに、該ガイド凹部９ａ、９ａに対応すべく、前記保持体１（下側半割保持体１ａ）の左右外壁面１ｃ、１ｃ側に前後方向に沿って上下に２個ガイド突部９ｂ、９ｂが各形成されている。そして、これらガイド凹部９ａ、９ａとガイド突部９ｂ、９ｂ同士の係合によって、前記レバー連結体２０は前記保持体１に対しスライド脱着自在（図４中矢印Ｃ方向及び図５中矢印Ｄ方向）となっている。尚、前記実施形態では、前記レバー連結体２０の取付基部９にガイド凹部９ａ、９ａを、前記保持体１にガイド突部９ｂ、９ｂを各形成してあるが、これとは逆に前記取付基部９側にガイド突部を、前記保持体１側にガイド凹部を形成してもよい。
【００４６】
次に、以上のように構成された形態についての２芯型光コネクタプラグにおける一対の光コネクタＡ、Ｂの位置の入れ替え手順の一例について説明する。尚、以下の説明では、上記図１、図２および図３と同等の部分には同一の符号を付し、適宜説明を省略または簡略化する。
【００４７】
一対の光コネクタＡ、Ｂの位置の入れ替えに際し、先ず、図４示すように、保持体１からレバー連結体２０を取り外す（図４矢印Ｃ方向）。この場合、取付基部９のガイド凹部９ａ、９ａを、保持体１（下側半割保持体１ａ）のガイド突部９ｂ、９ｂに沿って抜脱方向（前記矢印Ｃ方向）にスライドさせる。すると、前記ラッチレバー５ａ、５ａ係合突部１１ａ、１１ａそれぞれは前記フェルールハウジング１０Ａ、１０Ｂの上面に形成されている各係合凹部１２ａ、１２ａから離脱されるが、その際前記ラッチレバー５ａ、５ａ先端の係合突部１１ａ、１１ａの後方に設けられたテーパ面１１ｄ、１１ｄおよび前記レバー７と前記各ラッチレバー５ａ、５ａとの間の弾力性によって前記レバー連結体２０は保持体１からスムーズに取り外される。そして、図４に示すように、前記保持体１を一対の光コネクタＡ、Ｂごと上下反転させておく（図４中矢印Ｒ方向）。
【００４８】
次いで、図５に示すように、反転後の保持体１の上（反転前は保持体１の下面であった部分）に前記レバー連結体２０を再度組み付ける（図５中矢印Ｄ方向）。この場合、取付基部９のガイド凹部９ａ、９ａを、保持体１（下側半割保持体１ａ）のガイド突部９ｂ、９ｂに係合させつつ挿入方向（前記矢印Ｄ方向）にスライドさせる。すると、前記操作レバー７と各ラッチレバー５ａ、５ａとの間の弾発性によって、前記ラッチレバー５ａ、５ａの係合突部１１ａ、１１ａそれぞれは前記フェルールハウジング１０Ａ、１０Ｂの上面に形成されている各係合凹部１２ａ、１２ａに係合されると同時に、前記保持部１に対する前記レバー連結体２０の引抜方向への移動が阻止される。これによって図６に示すように、一対の光コネクタＡ、Ｂの位置が左右入れ替わるものとなる。
【００４９】
２芯型光コネクタプラグの使用に際し、一対の光コネクタＡ、Ｂを光アダプタの各挿入開口部（図示省略）に挿入する。このとき、ラッチレバー５ａ、５ａの各中間部両側に突設された係止部６ａ、６ａが各挿入開口部の上縁に当たっていったんは押下げられた後に、前記操作レバー７と前記各ラッチレバー５ａ、５ａとの間の弾発性によって当該係止部６ａ、６ａは、光アダプタに設けられた係止溝（図示省略）と係合する。これによって前記光コネクタＡ、Ｂは光アダプタから抜脱を阻止される。
【００５０】
光アダプタの各挿入開口部から一対の光コネクタＡ、Ｂを引き抜く際には、前記操作レバー７と前記各ラッチレバー５ａ、５ａとの間の弾発性に抗して当該操作レバー７を手で下方に押圧する。すると、前記各ラッチレバー５ａ、５ａは中間部両側に突設された係止部６ａ、６ａと共に同時に押下げられ、当該係止部６ａ、６ａは、光アダプタに設けられた係止溝（図示省略）に対する係合が解除される。これにより前記ラッチレバー５ａ、５ａの係合突部１１ａ、１１ａ後端のテーパ面１１ｄ、１１ｄおよび前記レバー連結体２０の弾力性の機能によって一対の光コネクタＡ、Ｂは光アダプタの各挿入開口部からスムーズに取り外される。
【００５１】
図１０乃至図１４には、保持体１およびレバー連結体２０の他例が示されている。尚、以下の説明では、上記図１及び図２と同等の部分には同一の符号を付し、適宜説明を省略または簡略化する。
【００５２】
本例におけるレバー連結体２０は、図１０および図１４に示すように、前記操作レバー７と前記一対のラッチレバー５ａ、５ａとの連結部分が略平坦（並行）構造となって相互が連設してなる。このとき図１０に示すように前記保持体１の上側半割保持体１ｂ上面と前記レバー連結体２０の下面間に隙間が形成されているため操作レバー７の下方への押圧により当該操作レバー７と一対のラッチレバー５ａ、５ａとの連結部分は側面視で略反転への字形となって屈曲されることとなり、前記操作レバー７に対する手による軽い押圧操作力でも、一対のラッチレバー５ａ、５ａ（係止部６ａ、６ａ）による前記光アダプタの係止溝（図示省略）に対する係合が容易に解除されるというメリットが得られる。
【００５３】
また、前記取付基部９の左右内壁面下側には係止突起１４ａ、係止突起１４ａが対向するよう形成されるとともに、該係止突起１４ａに対応すべく前記保持体１（下側半割保持体１ａ）の左右外壁面上下側には係止凹部１４ｂ、１４ｂがそれぞれ形成されている。そして、これら係止突起１４ａ、係止突起１４ａと係止凹部１４ｂ、１４ｂの何れか同士の係合（図１２中矢印Ｍ方向）によって、前記レバー連結体２０は前記保持体１に対し上方への引抜移動が阻止された状態となって固定される。
【００５４】
すなわち、一対の光コネクタＡ、Ｂの位置の入れ替えに際し、先ず、図１２に示すように、前記レバー連結体２０の取付基部９の上部両端に形成された突縁部９ｃを指先で摘んで上方へ引っ張り上げることによって前記保持体１から前記レバー連結体２０を強制的に取り外す（図１２中矢印Ｎ方向）。そして、前記保持体１を一対の光コネクタＡ、Ｂごと上下反転（図１２中矢印Ｒ方向）させておき、反転後の保持体１の上（反転前は保持体１の下面であった部分）に前記レバー連結体２０を再度組み付ける（図１２中矢印Ｍ方向）。このとき、前記したラッチレバー５ａ、５ａの係合突部１１ａ、１１ａそれぞれは前記した最初の実施形態同様、前記フェルールハウジング１０Ａ、１０Ｂに形成されている各係合凹部１２ａ、１２ａに係合される。同時に、前記取付基部９の両内壁面下方に形成された係止突起１４ａ、１４ａは反転後の前記保持体１の係止凹部１４ｂ、１４ｂのうち下方に位置する係止凹部１４ｂに係合される。これによって一対の光コネクタＡ、Ｂの位置が左右入れ替わるものとなる。
【００５５】
本願発明は、前記保持体１および前記レバー連結体２０が以上のように構成されるものであるから前記第１の実施形態および前記第２の実施形態の何れの場合も指先だけのワンタッチ操作によって脱着が可能なものとなっている。したがって、前記両者の脱着に当って、ドライバー等の脱着工具は一切必要としないものである。
【符号の説明】
【００５６】
Ａ、Ｂ              光コネクタ
Ｅ                  エクステンダーキャップ
Ｆ                  フェルール
Ｆ１                フランジ部
ＦＨ                チューブ
Ｓ                  コイルスプリング
１                  保持体
１ａ                下側半割保持体
１ｂ                上側半割保持体
１ｃ                左右外壁面
２                  ブーツ
３                  括部
５ａ、５ａ          ラッチレバー
６ａ、６ａ          係止部
７                  操作レバー
８ａ                係止片
８ｂ                被係止部
９                  取付基部
９ａ                ガイド凹部
９ｂ                ガイド突部
９ｃ                突縁部
９ｄ                左右側壁面
１０Ａ、１０Ｂ      フェルールハウジング
１１ａ、１１ａ      係合突部
１１ｂ、１１ｂ      垂直面
１１ｃ、１１ｃ      テーパ面
１２ａ、１２ａ      係合凹部
１２ｂ、１２ｂ      垂直面
１２ｃ、１２ｃ      垂直面
１３ａ、１３ａ      凹部
１４ａ              係止突起
１４ｂ              係止凹部
２０                レバー連結体
２１                ファイバポスト
２１ａ              フランジ部
２２                熱収縮チューブ
２２ａ              カシメリング
１００ａ、１００ｂ  フェルールハウジング
１０１              コネクタハウジング
１０１ａ            下側のコネクタハウジング半割体
１０１ｂ            上側のコネクタハウジング半割体
１０２              ブーツ
１０３              括部
１０４              凹部
１０５ａ、１０５ｂ  ラッチレバー
１０６ａ、１０６ｂ  係止突部
１０７              操作レバー
１０８              係止爪
１０９ａ            ガイド凹部
１１０              弾性係止片
【図１】
0006434742.tif 000002
【図２】
0006434742.tif 000003
【図３】
0006434742.tif 000004
【図４】
0006434742.tif 000005
【図５】
0006434742.tif 000006
【図６】
0006434742.tif 000007
【図７】
0006434742.tif 000008
【図８】
0006434742.tif 000009
【図９】
0006434742.tif 000010
【図１０】
0006434742.tif 000011
【図１１】
0006434742.tif 000012
【図１２】
0006434742.tif 000013
【図１３】
0006434742.tif 000014
【図１４】
0006434742.tif 000015
【図１５．１】
0006434742.tif 000016
【図１５．２】
0006434742.tif 000017